(57)【要約】【課題】住環境を含め、就業希望者が職業体験を受けやすい、または転職を行いやすく、利用者の満足度を高めることが可能な就業支援プログラム、記録媒体及び就業支援システムを提供する。【解決手段】就業支援システムＹは、ウェブサーバＷ及び第１データベースＤ１〜第７データベースＤ７を有する就業支援サーバＡ、就業体験希望者Ｐ１の端末Ｕ１、就業体験受け入れ先の端末Ｕ２、物件管理者の端末Ｕ３を備える。ウェブサーバＷは、就業支援プログラムがインストールされることにより、個人情報記録部Ａ１と、就業体験受け入れ先情報記録部Ａ２と、就業体験受け入れ先情報送信部Ａ３と、就業体験予約申し込み受信部Ａ４と、就業体験受け入れ可否情報送信部Ａ５と、物件情報記録部Ａ６と、物件情報送信部Ａ７と、物件予約申し込み受信部Ａ８と、入居受け入れ可否情報送信部Ａ９を有するものとなる。【選択図】図１
2017037366.tif 000002
【特許請求の範囲】
【請求項１】
電子計算機にインストールされて、
前記電子計算機に、
就業体験希望者の個人情報を第１のデータベースに登録する機能と、
採用条件および所在地を含む就業体験受け入れ先の情報を第２のデータベースに登録する機能と、
前記第１のデータベースに個人情報が登録された就業体験希望者の端末からの前記就業体験受け入れ先の情報が登録された前記第２のデータベースへのアクセスに応じて、同就業体験受け入れ先の情報を送信し、同端末からの就業体験希望先の予約申し込みをするための情報を受信する機能と、
前記第１のデータベースに登録された個人情報と前記第２のデータベースに登録された就業体験希望先の採用条件が合致するか否かを照合して判定し、受け入れ可否の判定結果の情報を前記第１のデータベースに個人情報が登録された就業体験希望者の端末に送信する機能と、
前記第２のデータベースに登録された就業体験受け入れ先の所在地に存在する物件の情報と、同物件の入居条件の情報を第３のデータベースに登録する機能と、
前記第１のデータベースに個人情報が登録され、かつ、就業体験受け入れ可の判定結果の情報を受信した就業体験希望者の端末からの前記物件の情報が登録された前記第３のデータベースへのアクセスに応じて、同物件の情報を送信し、同端末からの物件の予約申し込みをするための情報を受信する機能と、
前記第１のデータベースに登録された個人情報と前記第３のデータベースに登録された物件の入居条件が合致するか否かを照合して判定し、入居可否の判定結果の情報を前記就業体験希望者の端末に送信する機能とを付与する
就業支援プログラム。
【請求項２】
前記電子計算機に、
前記第１のデータベースに個人情報が登録された就業体験希望者の端末から送信された就業体験受け入れ先の候補を抽出可能な希望条件に関する希望条件情報を受信する機能と、
受信した前記希望条件情報と前記第２のデータベースに登録された就業体験受け入れ先の情報を照合し、就業受け入れ先の候補情報を抽出して前記第１のデータベースに個人情報が登録された就業体験希望者の端末に送信する機能とを付与する
請求項１に記載の就業支援プログラム。
【請求項３】
前記電子計算機に、
受信した前記希望条件情報を前記第１のデータベースに登録された個人情報と紐付けて希望条件履歴情報として第４のデータベースに登録する機能と、
前記第４のデータベースに登録された前記希望条件履歴情報と前記第２のデータベースに登録された就業体験受け入れ先情報を照合し、新たな就業受け入れ先の候補情報を抽出して前記第１のデータベースに個人情報が登録された就業体験希望者の端末に送信する機能とを付与する
請求項２に記載の就業支援プログラム。
【請求項４】
前記電子計算機に、
前記第１のデータベースに個人情報が登録された就業体験希望者の端末から送信された物件の候補を抽出可能な物件の希望条件に関する物件希望条件情報を受信する機能と、
受信した前記物件希望条件の情報と前記第３のデータベースに登録された物件の情報を照合し、物件の候補情報を抽出して前記第１のデータベースに個人情報が登録された就業体験希望者の端末に送信する機能とを付与する
請求項１、請求項２または請求項３に記載の就業支援プログラム。
【請求項５】
前記電子計算機に、
受信した前記物件希望条件の情報を前記第１のデータベースに登録された個人情報と紐付けて物件希望条件履歴情報として第５のデータベースに登録する機能と、
前記第５のデータベースに登録された前記物件希望条件履歴情報と前記第３のデータベースに登録された物件の情報を照合し、新たな物件の候補情報を抽出して前記第１のデータベースに個人情報が登録された就業体験希望者の端末に送信する機能とを付与する
請求項４に記載の就業支援プログラム。
【請求項６】
前記電子計算機に、
前記第３のデータベースに、物件の空き期間の情報を第１の物件付加情報として登録する機能と、
前記第３のデータベースに登録された物件の情報を前記第１の物件付加情報の空き期間の長さに基づいて順位づけし、順位が上位の物件の情報から優先的に前記第１のデータベースに個人情報が登録された就業体験希望者の端末へ送信する機能を付与する
請求項１、請求項２、請求項３、請求項４または請求項５に記載の就業支援プログラム。
【請求項７】
前記電子計算機に、
前記第３のデータベースに、物件の築年数の情報を第２の物件付加情報として登録する機能と、
前記第３のデータベースに登録された物件の情報を、前記第１の物件付加情報、および前記第２の物件付加情報に基づいて順位づけし、順位が上位の物件の情報から優先的に前記第１のデータベースに個人情報が登録された就業体験希望者の端末へ送信する機能を付与する
請求項６に記載の就業支援プログラム。
【請求項８】
前記電子計算機に、
外部端末からの広告に関する情報を受信して第６のデータベースに登録する機能と、
前記第１のデータベースに個人情報が登録された就業体験希望者の端末からの前記第２のデータベースまたは前記第３のデータベースへのアクセスに応じて、同端末に前記広告に関する情報を表示せしめる機能を付与する
請求項１、請求項２、請求項３、請求項４、請求項５、請求項６または請求項７に記載の就業支援プログラム。
【請求項９】
前記電子計算機に、
前記第１のデータベースに個人情報が登録された就業体験希望者もしくは前記第２のデータベースに登録された就業体験受け入れ先のいずれか一方または両方から、プログラム運用者に支払われる手数料の料金精算機能としてクレジットカードあるいは電子マネーカードを使用可能にするカード決済機能を付与する
請求項１、請求項２、請求項３、請求項４、請求項５、請求項６、請求項７または請求項８に記載の就業支援プログラム。
【請求項１０】
前記電子計算機に、
前記第１のデータベースに個人情報が登録された就業体験希望者もしくは前記第３のデータベースに物件の情報が登録された物件の管理者のいずれか一方または両方から、プログラム運用者へ支払われる手数料の料金精算機能としてクレジットカードあるいは電子マネーカードを使用可能にするカード決済機能を付与する
請求項１、請求項２、請求項３、請求項４、請求項５、請求項６、請求項７、請求項８または請求項９に記載の就業支援プログラム。
【請求項１１】
電子計算機にインストールされて、
前記電子計算機に、
就業体験希望者の個人情報を第１のデータベースに登録する機能と、
採用条件および所在地を含む就業体験受け入れ先の情報を第２のデータベースに登録する機能と、
前記第２のデータベースに登録された就業体験受け入れ先の所在地に存在する物件の情報と、同物件の入居条件の情報とを、第３のデータベースに登録する機能と、
前記第１のデータベースに個人情報が登録された就業体験希望者の端末からの前記第３のデータベースへのアクセスに応じて、物件の情報を送信し、同端末からの物件の予約申し込みをするための情報を受信する機能と、
前記第１のデータベースに登録された個人情報と前記第３のデータベースに登録された物件の入居条件が合致するか否かを照合して判定し、入居可否の判定結果の情報を前記第１のデータベースに個人情報が登録された就業体験希望者の端末に送信する機能と、
前記第１のデータベースに個人情報が登録され、かつ、入居可の判定結果の情報を受信した前記第１のデータベースに個人情報が登録された就業体験希望者の端末からの前記就業体験受け入れ先の情報が登録された前記第２のデータベースへのアクセスに応じて、同就業体験受け入れ先の情報を送信し、同端末からの就業体験希望先の予約申し込みをするための情報を受信する機能と、
前記第１のデータベースに登録された個人情報と前記第２のデータベースに登録された就業体験希望先の採用条件が合致するか否かを照合して判定し、受け入れ可否の判定結果の情報を就業体験希望者の端末に送信する機能とを付与する
就業支援プログラム。
【請求項１２】
電子計算機にインストールされて、
前記電子計算機に、
就業体験希望者の個人情報を、第１のデータベースに登録する機能と、
採用条件および所在地を含む就業体験受け入れ先の情報を第２のデータベースに登録する機能と、
前記第２のデータベースに登録された就業体験受け入れ先の所在地に存在する物件の情報と、同物件の入居条件の情報とを、第３のデータベースに登録する機能と、
前記第１のデータベースに個人情報が登録された就業体験希望者の端末からの前記就業体験受け入れ先の情報が登録された前記第２のデータベースへのアクセスに応じて、登録された就業体験受け入れ先の情報を送信し、同端末からの就業体験希望先の予約申し込みをするための情報を受信する機能と、
前記第１のデータベースに登録された個人情報と前記第２のデータベースに登録された就業体験希望先の採用条件が合致するか否かを照合して判定し、受け入れ可否の判定結果の情報を前記第１のデータベースに個人情報が登録された就業体験希望者の端末に送信する機能と、
前記第１のデータベースに個人情報が登録された就業体験希望者の端末からの前記物件の情報が登録された前記第３のデータベースへのアクセスに応じて、物件の情報を送信し、同端末からの物件の予約申し込みをするための情報を受信する機能と、
前記第１のデータベースに登録された個人情報と前記第３のデータベースに記録された物件の入居条件が合致するか否かを照合して判定し、入居可否の判定結果の情報を就業体験希望者の端末に送信する機能とを付与する
就業支援プログラム。
【請求項１３】
電子計算機に、
就業体験希望者の個人情報を第１のデータベースに登録する機能と、
採用条件および所在地を含む就業体験受け入れ先の情報を第２のデータベースに登録する機能と、
前記第１のデータベースに個人情報が登録された就業体験希望者の端末からの前記就業体験受け入れ先の情報が登録された前記第２のデータベースへのアクセスに応じて、同就業体験受け入れ先の情報を送信し、同端末からの就業体験希望先の予約申し込みをするための情報を受信する機能と、
前記第１のデータベースに登録された個人情報と前記第２のデータベースに登録された就業体験希望先の採用条件が合致するか否かを照合して判定し、受け入れ可否の判定結果の情報を前記第１のデータベースに個人情報が登録された就業体験希望者の端末に送信する機能と、
前記第２のデータベースに登録された就業体験受け入れ先の所在地に存在する物件の情報と、同物件の入居条件の情報を第３のデータベースに登録する機能と、
前記第１のデータベースに個人情報が登録され、かつ、就業体験受け入れ可の判定結果の情報を受信した就業体験希望者の端末からの前記物件の情報が登録された前記第３のデータベースへのアクセスに応じて、同物件の情報を送信し、同端末からの物件の予約申し込みをするための情報を受信する機能と、
前記第１のデータベースに登録された個人情報と前記第３のデータベースに登録された物件の入居条件が合致するか否かを照合して判定し、入居可否の判定結果の情報を就業体験希望者の端末に送信する機能とを付与する就業支援プログラムが記録された電子計算機で読み取り可能な
記録媒体。
【請求項１４】
プログラムがインストールされ、就業体験希望者の個人情報を受信して記録する個人情報記録部と、採用条件および所在地を含む就業体験受け入れ先の情報を記録する就業体験受け入れ先情報記録部と、前記就業体験受け入れ先情報記録部に記録された就業体験受け入れ先の情報を送信する就業体験受け入れ先情報送信部と、就業体験希望先の予約申し込みをするための情報を受信する就業体験予約申し込み受信部と、前記個人情報記録部に記録された個人情報と前記就業体験受け入れ先情報記録部に記録された就業体験希望先の採用条件が合致するか否かを照合して判定し、受け入れ可否の判定結果の情報を送信する就業体験受け入れ可否情報送信部と、前記就業体験受け入れ先情報記録部に記録された就業体験受け入れ先の所在地に存在する物件の情報と、同物件の入居条件の情報を記録する物件情報記録部と、前記物件情報記録部に記録された物件の情報を送信する物件情報送信部と、物件の予約申し込みをするための情報を受信する物件予約申し込み受信部と、前記個人情報記録部に記録された個人情報と前記物件情報記録部に記録された物件の入居条件が合致するか否かを照合して判定し、入居可否の判定結果の情報を送信する入居受け入れ可否情報送信部とを有する就業支援サーバと、
前記就業支援サーバへインターネットを介して情報の送受信が可能な通信部と、受信した情報を表示可能なウェブブラウザ部と、就業体験希望者の個人情報を前記個人情報記録部に送信する個人情報送信部と、前記就業体験受け入れ先情報送信部が送信した就業体験受け入れ先の情報を受信する就業体験受け入れ先情報受信部と、就業体験希望先に予約申し込みをするための情報を前記就業体験予約申し込み受信部に送信する就業体験予約申し込み送信部と、前記就業体験受け入れ可否情報送信部が送信した就業体験希望先の受け入れ可否の判定結果の情報を受信する就業体験受け入れ可否情報受信部と、前記物件情報送信部が送信した物件の情報を受信する物件情報受信部と、物件の予約申し込みをするための情報を前記物件予約申し込み受信部に送信する物件予約申し込み送信部と、前記入居受け入れ可否情報送信部が送信した物件への入居可否の判定結果の情報を受信する入居受け入れ可否情報受信部とを有する端末とを備える
就業支援システム。
【発明の詳細な説明】
【技術分野】
【０００１】
本発明は、就業支援プログラム、記録媒体および就業支援システムに関するものである。更に詳しくは、住環境を含め、就業希望者が職業体験を受けやすい、または転職を行いやすく、利用者の満足度を高めることが可能な就業支援プログラム、記録媒体および就業支援システムに係るものである。
【背景技術】
【０００２】
従来から、インターネットを介して求職者の就業を支援するアイディアが存在しており、例えば、下記特許文献１に記載の就業支援システムが提案されている。
【０００３】
図７に示すように、特許文献１に記載された就業支援システム９では、ユーザ端末９１、事業所９２の事業者端末９２１、就業支援センタ９０の受付端末９０１〜９０３が、インターネット９３を介して接続されている。インターネット９３と受付端末９０１〜９０３との間にはルータ９０５が配置されている。また、窓口サーバ９０４には記憶装置９０６が接続されている。
【０００４】
本システム９では、ユーザ端末９１が求職者情報を送信し、就業支援センタ９０の窓口サーバ９０４が通話可能な受付端末９０１を選択すると、ユーザ端末９１、事業者端末９２１、受付端末９０１の各端末は、Ｗｅｂ情報を相互に送受信することにより共有する。各端末の表示装置は、求職者、面接担当者、受付オペレータの画像を表示する。
【０００５】
ユーザ端末９１と事業者端末９２１との接続が確立されると、受付端末９０１は、ユーザ端末９１との通信の接続を解除される。そして、ユーザ端末９１と事業者端末９２１との間で、直接、通話が可能となり、面接が行われるというものである。
【先行技術文献】
【特許文献】
【０００６】
【特許文献１】特開２００４−３３４７０１号公報
【発明の概要】
【発明が解決しようとする課題】
【０００７】
ところで、転職や起業（以下「就業」という）する際には、一度辞職してから、新たな会社に就職したり、事業を開始したりすることが一般的である。また、転職においては住居の変更を伴うことが多い。例えば、数十年ぶりに帰郷して行うＵターン就職や、縁の無い新天地へ向かうＩターン就職あるいはＪターン就職等である。このように職場および住環境の変更が重なることから、転職は精神的に負担の大きなものとなる。
【０００８】
また、就業に伴う転居では、居住地周辺に対する土地勘がない場合に苦労をすることが多くなる。例えば、夜は治安が悪い、交通の便が思ったよりも悪い、買物する場所が無い等、実際に住むまで分からないことも多い。加えて、就業後は公私ともに多忙な場合も多く、住居に不満がある場合でも、転居後すぐに再転居することは手間や費用の点からも容易ではない。
【０００９】
上述した特許文献１記載の就業支援システム９は、このような転職や転居に関する就業者の不安を解決することができなかった。
【００１０】
本発明は、以上の点を鑑みて創案されたものであり、住環境を含め、就業希望者が職業体験を受けやすい、または転職を行いやすく、利用者の満足度を高めることが可能な就業支援プログラム、記録媒体および就業支援システムを提供することを目的とするものである。
【課題を解決するための手段】
【００１１】
上記の目的を達成するために本発明の就業支援プログラムは、電子計算機にインストールされて、前記電子計算機に、就業体験希望者の個人情報を第１のデータベースに登録する機能と、採用条件および所在地を含む就業体験受け入れ先の情報を第２のデータベースに登録する機能と、前記第１のデータベースに個人情報が登録された就業体験希望者の端末からの前記就業体験受け入れ先の情報が登録された前記第２のデータベースへのアクセスに応じて、同就業体験受け入れ先の情報を送信し、同端末からの就業体験希望先の予約申し込みをするための情報を受信する機能と、前記第１のデータベースに登録された個人情報と前記第２のデータベースに登録された就業体験希望先の採用条件が合致するか否かを照合して判定し、受け入れ可否の判定結果の情報を前記第１のデータベースに個人情報が登録された就業体験希望者の端末に送信する機能と、前記第２のデータベースに登録された就業体験受け入れ先の所在地に存在する物件の情報と、同物件の入居条件の情報を第３のデータベースに登録する機能と、前記第１のデータベースに個人情報が登録され、かつ、就業体験受け入れ可の判定結果の情報を受信した就業体験希望者の端末からの前記物件の情報が登録された前記第３のデータベースへのアクセスに応じて、同物件の情報を送信し、同端末からの物件の予約申し込みをするための情報を受信する機能と、前記第１のデータベースに登録された個人情報と前記第３のデータベースに登録された物件の入居条件が合致するか否かを照合して判定し、入居可否の判定結果の情報を就業体験希望者の端末に送信する機能とを付与する。
【００１２】
ここで、就業体験希望者の個人情報を第１のデータベースに登録する機能によって、就業希望体験者に関するパーソナルな情報を登録可能となる。なお、個人情報の種類としては、氏名、住所、年齢、連絡先電話番号、職歴等が挙げられる。
【００１３】
また、採用条件および所在地を含む就業体験受け入れ先の情報を第２のデータベースに登録する機能によって、就業体験受け入れ先に関する情報を登録可能となる。なお、就業体験受け入れ先の情報の種類としては、勤務地、職種、仕事内容、給与、労働時間、勤務形態、または福利厚生の内容等が挙げられる。また、採用条件の種類としては、性別、年齢、経験あるいは入社希望日、最低限勤務して欲しい時間、勤務時間帯あるいは期間等が挙げられる。
【００１４】
また、第１のデータベースに個人情報が登録された就業体験希望者の端末からの就業体験受け入れ先の情報が登録された第２のデータベースへのアクセスに応じて、就業体験受け入れ先の情報を送信し、端末からの就業体験希望先の予約申し込みをするための情報を受信する機能によって、就業体験希望者に対して就業体験先の情報を提供することが可能となる。また、就業体験希望者が選択した就業体験先の情報を得るものとなる。
【００１５】
また、第１のデータベースに登録された個人情報と第２のデータベースに登録された就業体験希望先の採用条件が合致するか否かを照合して判定し、受け入れ可否の判定結果の情報を第１のデータベースに個人情報が登録された就業体験希望者の端末に送信する機能によって、就業体験希望者に希望する就業体験の可否を通知可能となる。
【００１６】
また、第２のデータベースに登録された就業体験受け入れ先の所在地に存在する物件の情報と、物件の入居条件の情報を第３のデータベースに登録する機能によって、就業体験先の情報と物件の情報を紐付けて登録可能となる。また、物件に入居するための条件も登録できる。なお、物件の情報の種類としては、物件の所在する住所、物件タイプ、間取り、設備、家賃、最寄りの交通機関とそこまでの所要時間、周辺の主な施設、駐車場の有無、買い物できる場所の有無等である。また、物件の入居条件の情報とは貸し手の方が定める条件であり、単身者限定、女性限定、子供不可、外国人不可、ペット不可、契約期間、入居時期等が挙げられる。
【００１７】
また、第１のデータベースに個人情報が登録され、かつ、就業体験受け入れ可の判定結果の情報を受信した就業体験希望者の端末からの物件の情報が登録された第３のデータベースへのアクセスに応じて、物件の情報を送信し、端末からの物件の予約申し込みをするための情報を受信する機能によって、就業体験が受け入れ可と通知された就業体験希望者に対して、物件の情報を提供することが可能となる。また、就業体験希望者が選択した物件の情報を得るものとなる。
【００１８】
また、第１のデータベースに登録された個人情報と第３のデータベースに登録された物件の入居条件が合致するか否かを照合して判定し、入居可否の判定結果の情報を第１のデータベースに個人情報が登録された就業体験希望者の端末に送信する機能によって、就業体験希望者に希望する物件の入居可否を通知可能となる。
【００１９】
「就業体験希望者の端末」とは、自己所有するもののほか、就業体験希望者が使用する他者所有の端末も含む意味で使用している。例えば、第１のデータベースに就業体験希望者の個人情報を登録した後に個別の認識番号等が発行され、同認識番号を使用して他者所有の端末から本プログラムへアクセスする場合が挙げられる。
【００２０】
また、電子計算機に、第１のデータベースに個人情報が登録された就業体験希望者の端末から送信された就業体験受け入れ先の候補を抽出可能な希望条件に関する希望条件情報を受信する機能と、受信した希望条件情報と第２のデータベースに登録された就業体験受け入れ先の情報を照合し、就業受け入れ先の候補情報を抽出して第１のデータベースに個人情報が登録された就業体験希望者の端末に送信する機能とを付与する場合には、第１のデータベースに個人情報が登録された就業体験希望者が就業体験先を選択する際に重視する条件の情報を受信可能となる。また、受信した希望条件に合致する就業体験受け入れ先の情報を、第２のデータベースにアクセスした就業体験希望者に提供可能となる。
【００２１】
また、電子計算機に、受信した希望条件情報を第１のデータベースに登録された個人情報と紐付けて希望条件履歴情報として第４のデータベースに登録する機能と、第４のデータベースに登録された希望条件履歴情報と第２のデータベースに登録された就業体験受け入れ先情報を照合し、新たな就業受け入れ先の候補情報を抽出して第１のデータベースに個人情報が登録された就業体験希望者の端末に送信する機能とを付与する場合には、就業体験希望者が就業体験先を選択する際に重視する条件の情報を個人情報と共に登録可能となる。また、登録した希望条件に合致する就業体験受け入れ先の情報を提供可能となる。例えば、第２のデータベースにアクセスしていない、かつ第１のデータベースに個人情報が登録された就業体験希望者に情報を送信して、就業体験希望者による自発的な選択を省略させることができる。より具体的には、第１のデータベースに個人情報が登録された就業体験希望者が最初に予約申込を行った就業受け入れ先と条件が合致せずに就業に至らなかった場合でも、プログラムが抽出した同一または近似する条件の就業受け入れ先の候補がある旨の情報が就業体験希望者の端末に送信されるので、就業体験希望者は、再度自ら検索しなくとも、希望条件が近似等する新たな就業先情報を得ることができる。
【００２２】
また、電子計算機に、第１のデータベースに個人情報が登録された就業体験希望者の端末から送信された物件の候補を抽出可能な物件の希望条件に関する物件希望条件情報を受信する機能と、受信した物件希望条件の情報と第３のデータベースに登録された物件の情報を照合し、物件の候補情報を抽出して第１のデータベースに個人情報が登録された就業体験希望者の使用する端末に送信する機能とを付与する場合には、第１のデータベースに個人情報が登録された就業体験希望者が物件を選択する際に重視する条件の情報を受信可能となる。また、受信した物件希望条件に合致する物件の情報を就業体験希望者に提供可能となる。なお、物件希望条件情報の種類としては、物件の所在する住所、物件タイプ、間取り、家賃等が挙げられる。
【００２３】
また、電子計算機に、受信した物件希望条件の情報を第１のデータベースに登録された個人情報と紐付けて物件希望条件履歴情報として第５のデータベースに登録する機能と、第５のデータベースに登録された物件希望条件履歴情報と第３のデータベースに登録された物件の情報を照合し、新たな物件の候補情報を抽出して第１のデータベースに個人情報が登録された就業体験希望者の端末に送信する機能とを付与する場合には、就業体験希望者が物件を選択する際に重視する条件の情報を個人情報と共に登録可能となる。また、登録した物件希望条件に合致する就業体験受け入れ先の情報を提供可能となる。例えば、第３のデータベースにアクセスしていない就業体験希望者に情報を送信して、就業体験希望者による自発的な選択を省略させることができる。より具体的には、就業体験希望者が最初に予約申込を行った物件が、入居条件と条件が合致せずに入居に至らなかった場合でも、プログラムが抽出した同一または近似する条件の物件の候補がある旨の情報が就業体験希望者の端末に送信されるので、就業体験希望者は、再度自ら検索しなくとも、希望条件が近似等する新たな物件の情報を得ることができる。
【００２４】
また、電子計算機に、第３のデータベースに、物件の空き期間の情報を第１の物件付加情報として登録する機能と、第３のデータベースに登録された物件の情報を第１の物件付加情報の空き期間の長さに基づいて順位づけし、順位が上位の物件の情報から優先的に第１のデータベースに個人情報が登録された就業体験希望者の端末へ送信する機能を付与する場合には、空き物件を優先的に利用しやすいものとなる。即ち、例えば、空き期間の長い物件から優先的に表示することで、空き物件が選択されやすいものとなり、空室期間の短縮化が期待できるものとなる。
【００２５】
また、電子計算機に、第３のデータベースに、物件の築年数の情報を第２の物件付加情報として登録する機能と、第３のデータベースに登録された物件の情報を、第１の物件付加情報および第２の物件付加情報に基づいて順位づけし、順位が上位の物件の情報から優先的に第１のデータベースに個人情報が登録された就業体験希望者の端末へ送信する機能を付与する場合には、物件の築年数の情報も踏まえて空き物件の情報を提供可能となる。例えば、空き期間は長いが、築年数の新しい物件から優先的に表示することで、物件に投資した資金回収期間の短縮化が期待できるものとなる。
【００２６】
また、電子計算機に、外部端末からの広告に関する情報を受信して第６のデータベースに登録する機能と、第１のデータベースに個人情報が登録された就業体験希望者の端末からの第２のデータベースまたは第３のデータベースへのアクセスに応じて、端末に広告に関する情報を表示せしめる機能を付与する場合には、広告機能を持たせることが可能となる。例えば、就業体験希望者が端末で見るウェブページに広告を表示することができる。ここでの広告とは、引っ越し業者や、寝具等の生活必需品のレンタルあるいは販売する業者、電気等のインフラ事業者、廃品の引き取り業者、短期資金を提供する金融業者等、就業体験中に必要なもの等に関するものが挙げられる。また、正式に就業して転居する際に必要な手続や物、サービスを提供する者の広告も存在する。
【００２７】
また、電子計算機に、第１のデータベースに個人情報が登録された就業体験希望者もしくは第２のデータベースに登録された就業体験受け入れ先のいずれか一方または両方から、プログラム運用者に支払われる手数料の料金精算機能としてクレジットカードあるいは電子マネーカードを使用可能にするカード決済機能を付与する場合には、プログラムを介して当該手数料のカード決済を行うことができる。これにより、例えば、プログラム運用者は、就業体験希望者と就業体験受け入れ先との間で、予約申し込みが成立したか、または、正式な就業が成就したときに、就業体験希望者または就業体験受け入れ先のいずれか一方または両方から、容易に仲介業としての手数料収入を得ることができる。
【００２８】
また、電子計算機に、第１のデータベースに個人情報が登録された就業体験希望者もしくは第３のデータベースに物件の情報が登録された物件の管理者のいずれか一方または両方から、プログラム運用者へ支払われる手数料の料金精算機能としてクレジットカードあるいは電子マネーカードを使用可能にするカード決済機能を付与する場合には、プログラムを介して当該手数料のカード決済を行うことができる。これにより、例えば、プログラム運用者は、就業体験希望者もしくは物件の管理者との間で、予約申し込みが成立したか、または、正式な入居契約が成就したときに、就業体験希望者または物件の管理者のいずれか一方または両方から、容易に仲介業としての手数料収入を得ることができる。また、本機能によって、例えば、就業体験希望者もしくは物件の管理者との間で、予約申し込みが成立したか、または、正式な入居契約が成就したときに、就業体験希望者から物件の管理者へ支払われる手数料を代行徴収することもできる。
【００２９】
上記の目的を達成するために本発明の就業支援プログラムは、電子計算機にインストールされて、前記電子計算機に、就業体験希望者の個人情報を、第１のデータベースに登録する機能と、採用条件および所在地を含む就業体験受け入れ先の情報を第２のデータベースに登録する機能と、前記第２のデータベースに登録された就業体験受け入れ先の所在地に存在する物件の情報と、同物件の入居条件の情報とを、第３のデータベースに登録する機能と、前記第１のデータベースに個人情報が登録された就業体験希望者の端末からの前記第３のデータベースへのアクセスに応じて、物件の情報を送信し、同端末からの物件の予約申し込みをするための情報を受信する機能と、前記第１のデータベースに登録された個人情報と前記第３のデータベースに登録された物件の入居条件が合致するか否かを照合して判定し、入居可否の判定結果の情報を前記第１のデータベースに個人情報が登録された就業体験希望者の端末に送信する機能と、前記第１のデータベースに個人情報が登録され、かつ、入居可の判定結果の情報を受信した前記第１のデータベースに個人情報が登録された就業体験希望者の端末からの前記就業体験受け入れ先の情報が登録された前記第２のデータベースへのアクセスに応じて、同就業体験受け入れ先の情報を送信し、同端末からの就業体験希望先の予約申し込みをするための情報を受信する機能と、前記第１のデータベースに登録された個人情報と前記第２のデータベースに登録された就業体験希望先の採用条件が合致するか否かを照合して判定し、受け入れ可否の判定結果の情報を就業体験希望者の端末に送信する機能とを付与する。
【００３０】
ここで、就業体験希望者の個人情報を第１のデータベースに登録する機能によって、就業希望体験者に関するパーソナルな情報を登録可能となる。
【００３１】
また、採用条件および所在地を含む就業体験受け入れ先の情報を第２のデータベースに登録する機能によって、就業体験受け入れ先に関する情報を登録可能となる。
【００３２】
また、第２のデータベースに登録された就業体験受け入れ先の所在地に存在する物件の情報と、物件の入居条件の情報とを、第３のデータベースに登録する機能によって、就業体験先の情報と物件の情報を紐付けて登録可能となる。また、物件に入居するための条件も登録できる。
【００３３】
また、第１のデータベースに個人情報が登録された就業体験希望者の端末からの第３のデータベースへのアクセスに応じて、物件の情報を送信し、端末からの物件の予約申し込みをするための情報を受信する機能によって、就業体験希望者に対して、物件の情報を提供することが可能となる。また、就業体験希望者が選択した物件の情報を得るものとなる。
【００３４】
また、第１のデータベースに登録された個人情報と第３のデータベースに登録された物件の入居条件が合致するか否かを照合して判定し、入居可否の判定結果の情報を第１のデータベースに個人情報が登録された就業体験希望者の端末に送信する機能によって、就業体験希望者に希望する物件の入居可否を通知可能となる。
【００３５】
また、第１のデータベースに個人情報が登録され、かつ、入居可の判定結果の情報を受信した第１のデータベースに個人情報が登録された就業体験希望者の端末からの就業体験受け入れ先の情報が登録された第２のデータベースへのアクセスに応じて、就業体験受け入れ先の情報を送信し、端末からの就業体験希望先の予約申し込みをするための情報を受信する機能によって、入居可と通知された就業体験希望者に対して、就業体験受け入れ先の情報を提供することが可能となる。また、就業体験希望者が選択した就業体験受け入れ先の情報を得るものとなる。
【００３６】
また、第１のデータベースに登録された個人情報と第２のデータベースに登録された就業体験希望先の採用条件が合致するか否かを照合して判定し、受け入れ可否の判定結果の情報を第１のデータベースに個人情報が登録された就業体験希望者の端末に送信する機能によって、就業体験希望者に希望する就業体験の可否を通知可能となる。
【００３７】
上記の目的を達成するために本発明の就業支援プログラムは、電子計算機にインストールされて、前記電子計算機に、就業体験希望者の個人情報を、第１のデータベースに登録する機能と、採用条件および所在地を含む就業体験受け入れ先の情報を第２のデータベースに登録する機能と、前記第２のデータベースに登録された就業体験受け入れ先の所在地に存在する物件の情報と、同物件の入居条件の情報とを、第３のデータベースに登録する機能と、前記第１のデータベースに個人情報が登録された就業体験希望者の端末からの前記就業体験受け入れ先の情報が登録された前記第２のデータベースへのアクセスに応じて、登録された就業体験受け入れ先の情報を送信し、同端末からの就業体験希望先の予約申し込みをするための情報を受信する機能と、前記第１のデータベースに登録された個人情報と前記第２のデータベースに登録された就業体験希望先の採用条件が合致するか否かを照合して判定し、受け入れ可否の判定結果の情報を前記第１のデータベースに個人情報が登録された就業体験希望者の端末に送信する機能と、前記第１のデータベースに個人情報が登録された就業体験希望者の端末からの前記物件の情報が登録された前記第３のデータベースへのアクセスに応じて、物件の情報を送信し、同端末からの物件の予約申し込みをするための情報を受信する機能と、前記第１のデータベースに登録された個人情報と前記第３のデータベースに記録された物件の入居条件が合致するか否かを照合して判定し、入居可否の判定結果の情報を就業体験希望者の端末に送信する機能とを付与する。
【００３８】
ここで、就業体験希望者の個人情報を第１のデータベースに登録する機能によって、就業希望体験者に関するパーソナルな情報を登録可能となる。
【００３９】
また、採用条件および所在地を含む就業体験受け入れ先の情報を第２のデータベースに登録する機能によって、就業体験受け入れ先に関する情報を登録可能となる。
【００４０】
また、第２のデータベースに登録された就業体験受け入れ先の所在地に存在する物件の情報と、物件の入居条件の情報とを、第３のデータベースに登録する機能によって、就業体験先の情報と物件の情報を紐付けて登録可能となる。また、物件に入居するための条件も登録できる。
【００４１】
また、第１のデータベースに個人情報が登録された就業体験希望者の端末からの就業体験受け入れ先の情報が登録された第２のデータベースへのアクセスに応じて、登録された就業体験受け入れ先の情報を送信し、端末からの就業体験希望先の予約申し込みをするための情報を受信する機能によって、就業体験希望者に対して就業体験先の情報を提供することが可能となる。また、就業体験希望者が選択した就業体験先の情報を得るものとなる。
【００４２】
また、第１のデータベースに登録された個人情報と第２のデータベースに登録された就業体験希望先の採用条件が合致するか否かを照合して判定し、受け入れ可否の判定結果の情報を第１のデータベースに個人情報が登録された就業体験希望者の端末に送信する機能によって、就業体験希望者に希望する就業体験の可否を通知可能となる。
【００４３】
また、第１のデータベースに個人情報が登録された就業体験希望者の端末からの物件の情報が登録された第３のデータベースへのアクセスに応じて、物件の情報を送信し、端末からの物件の予約申し込みをするための情報を受信する機能によって、就業体験希望者に対して、物件の情報を提供することが可能となる。また、就業体験希望者が選択した物件の情報を得るものとなる。
【００４４】
また、第１のデータベースに登録された個人情報と第３のデータベースに登録された物件の入居条件が合致するか否かを照合して判定し、入居可否の判定結果の情報を就業体験希望者の端末に送信する機能によって、就業体験希望者に希望する物件の入居可否を通知可能となる。
【００４５】
上記の目的を達成するために本発明の記録媒体は、電子計算機に、就業体験希望者の個人情報を第１のデータベースに登録する機能と、採用条件および所在地を含む就業体験受け入れ先の情報を第２のデータベースに登録する機能と、前記第１のデータベースに個人情報が登録された就業体験希望者の端末からの前記就業体験受け入れ先の情報が登録された前記第２のデータベースへのアクセスに応じて、同就業体験受け入れ先の情報を送信し、同端末からの就業体験希望先の予約申し込みをするための情報を受信する機能と、前記第１のデータベースに登録された個人情報と前記第２のデータベースに登録された就業体験希望先の採用条件が合致するか否かを照合して判定し、受け入れ可否の判定結果の情報を前記第１のデータベースに個人情報が登録された就業体験希望者の端末に送信する機能と、前記第２のデータベースに登録された就業体験受け入れ先の所在地に存在する物件の情報と、同物件の入居条件の情報を第３のデータベースに登録する機能と、前記第１のデータベースに個人情報が登録され、かつ、就業体験受け入れ可の判定結果の情報を受信した就業体験希望者の端末からの前記物件の情報が登録された前記第３のデータベースへのアクセスに応じて、同物件の情報を送信し、同端末からの物件の予約申し込みをするための情報を受信する機能と、前記第１のデータベースに登録された個人情報と前記第３のデータベースに登録された物件の入居条件が合致するか否かを照合して判定し、入居可否の判定結果の情報を就業体験希望者の端末に送信する機能とを付与する就業支援プログラムが記録された電子計算機で読み取り可能なものである。
【００４６】
ここで、本発明の記録媒体に格納された就業支援プログラムが電子計算機に読み込まれることにより、先述の各機能が電子計算機に付与される。
【００４７】
上記の目的を達成するために本発明の就業支援システムは、プログラムがインストールされ、就業体験希望者の個人情報を受信して記録する個人情報記録部と、採用条件および所在地を含む就業体験受け入れ先の情報を記録する就業体験受け入れ先情報記録部と、前記就業体験受け入れ先情報記録部に記録された就業体験受け入れ先の情報を送信する就業体験受け入れ先情報送信部と、就業体験希望先の予約申し込みをするための情報を受信する就業体験予約申し込み受信部と、前記個人情報記録部に記録された個人情報と前記就業体験受け入れ先情報記録部に記録された就業体験希望先の採用条件が合致するか否かを照合して判定し、受け入れ可否の判定結果の情報を送信する就業体験受け入れ可否情報送信部と、前記就業体験受け入れ先情報記録部に記録された就業体験受け入れ先の所在地に存在する物件の情報と、同物件の入居条件の情報を記録する物件情報記録部と、前記物件情報記録部に記録された物件の情報を送信する物件情報送信部と、物件の予約申し込みをするための情報を受信する物件予約申し込み受信部と、前記個人情報記録部に記録された個人情報と前記物件情報記録部に記録された物件の入居条件が合致するか否かを照合して判定し、入居可否の判定結果の情報を送信する入居受け入れ可否情報送信部とを有する就業支援サーバと、前記就業支援サーバへインターネットを介して情報の送受信が可能な通信部と、受信した情報を表示可能なウェブブラウザ部と、就業体験希望者の個人情報を前記個人情報記録部に送信する個人情報送信部と、前記就業体験受け入れ先情報送信部が送信した就業体験受け入れ先の情報を受信する就業体験受け入れ先情報受信部と、就業体験希望先に予約申し込みをするための情報を前記就業体験予約申し込み受信部に送信する就業体験予約申し込み送信部と、前記就業体験受け入れ可否情報送信部が送信した就業体験希望先の受け入れ可否の判定結果の情報を受信する就業体験受け入れ可否情報受信部と、前記物件情報送信部が送信した物件の情報を受信する物件情報受信部と、物件の予約申し込みをするための情報を前記物件予約申し込み受信部に送信する物件予約申し込み送信部と、前記入居受け入れ可否情報送信部が送信した物件への入居可否の判定結果の情報を受信する入居受け入れ可否情報受信部とを有する端末とを備える。
【００４８】
ここで、就業体験希望者の個人情報を受信して記録する個人情報記録部と、就業体験希望者の個人情報を個人情報記録部に送信する個人情報送信部とによって、就業体験希望者の端末から就業体験希望者の個人情報が就業支援サーバに送信され、受信した就業希望体験者に関するパーソナルな情報が記録可能となる。なお、ここでいう「端末」は、就業体験希望者が用いる端末を意味する。
【００４９】
また、採用条件および所在地を含む就業体験受け入れ先の情報を記録する就業体験受け入れ先情報記録部によって、就業体験受け入れ先に関する情報を記録可能となる。また、物件に入居するための条件も記録できる。
【００５０】
また、就業体験受け入れ先情報記録部に記録された就業体験受け入れ先の情報を送信する就業体験受け入れ先情報送信部と、就業体験受け入れ先情報送信部が送信した就業体験受け入れ先の情報を受信する就業体験受け入れ先情報受信部によって、就業支援サーバに記録された就業体験受け入れ先の情報を、個人情報が記録された就業体験希望者の端末に送信することができる。また、端末で就業体験受け入れ先の情報を受信し、就業体験先の情報を得るものとなる。受信した情報は、端末の受信した情報を表示可能なウェブブラウザ部によって、就業体験先の情報を画面上で得るものとなる。
【００５１】
また、就業体験希望先に予約申し込みをするための情報を就業体験予約申し込み受信部に送信する就業体験予約申し込み送信部によって、就業支援サーバに就業体験希望先に予約申し込みをするための情報を提供することが可能となる。また、就業体験希望先の予約申し込みをするための情報を受信する就業体験予約申し込み受信部によって、就業支援サーバは、個人情報が記録された就業体験希望者が選択した就業体験先の情報を得るものとなる。
【００５２】
また、個人情報記録部に記録された個人情報と就業体験受け入れ先情報記録部に記録された就業体験希望先の採用条件が合致するか否かを照合して判定し、受け入れ可否の判定結果の情報を送信する就業体験受け入れ可否情報送信部によって、就業体験希望者に希望する就業体験先への就業の可否を通知可能となる。また、就業体験受け入れ可否情報送信部が送信した就業体験希望先の受け入れ可否の判定結果の情報を受信する就業体験受け入れ可否情報受信部によって、就業体験希望者の希望する就業体験先への就業の可否の情報を得るものとなる。
【００５３】
また、就業体験受け入れ先情報記録部に記録された就業体験受け入れ先の所在地に存在する物件の情報と、物件の入居条件の情報を記録する物件情報記録部によって、就業体験先の情報と物件の情報を紐付けて記録可能となる。また、物件に入居するための条件も記録できる。
【００５４】
また、物件情報記録部に記録された物件の情報を送信する物件情報送信部によって、就業体験希望者に対して物件の情報を提供することが可能となる。また、物件情報送信部が送信した物件の情報を受信する物件情報受信部によって、送信された物件の情報を得るものとなる。
【００５５】
また、物件の予約申し込みをするための情報を物件予約申し込み受信部に送信する物件予約申し込み送信部によって、就業支援サーバに物件の予約申し込みをするための情報を提供することが可能となる。また、物件の予約申し込みをするための情報を受信する物件予約申し込み受信部によって、就業支援サーバは就業体験希望者が選択した物件の情報を得るものとなる。
【００５６】
また、個人情報記録部に記録された個人情報と物件情報記録部に記録された物件の入居条件が合致するか否かを照合して判定し、入居可否の判定結果の情報を送信する入居受け入れ可否情報送信部によって、就業体験希望者に希望する物件への入居の可否を通知可能となる。また、入居受け入れ可否情報送信部が送信した物件への入居可否の判定結果の情報を受信する入居受け入れ可否情報受信部によって、就業体験希望者に希望する物件への入居の可否の情報を得るものとなる。
【発明の効果】
【００５７】
本発明による就業支援プログラムによれば、住環境を含め、就業希望者が職業体験を受けやすい、または転職を行いやすく、利用者の満足度を高めることができる。
また、本発明による記録媒体によれば、住環境を含め、就業希望者が職業体験を受けやすい、または転職を行いやすく、利用者の満足度を高めることができる。
更に、本発明による就業支援システムによれば、住環境を含め、就業希望者が職業体験を受けやすい、または転職を行いやすく、利用者の満足度を高めることができる。
【図面の簡単な説明】
【００５８】
【図１】本発明を適用した就業支援システムの構成の一例を示す概略図である。
【図２】図１に示す就業支援システムにおける就業体験申し込み手順を示すフローチャートである。
【図３】図１に示す就業支援システムにおける物件への入居申し込み手順を示すフローチャートである。
【図４】図２および図３におけるプログラムによる予約の可否判定がなされる手順を示すフローチャートである。
【図５】就業体験希望者の端末と、就業体験受け入れ先の端末と、物件の管理者の端末と、就業支援サーバとの間の情報のやりとりを示すブロック図である。
【図６】就業体験希望者との間で行われる物件の鍵を受け渡し態様の一例を示す概略図であり、（ａ）は物件の鍵の受け取りを、（ｂ）は物件の鍵の返却を、それぞれ示している。
【図７】特許文献１記載の発明を示した説明図である。
【発明を実施するための形態】
【００５９】
図１ないし図６を参照して、本発明の実施の形態を詳細に説明する。なお、各図における符号は、煩雑さを軽減し理解を容易にする範囲内で付している。
【００６０】
〔就業支援システムＹ〕
図１は、就業支援システムＹの構成の一例を示したものである。就業支援システムＹは、就業支援サーバＡと、就業体験希望者Ｐ１の端末Ｕ１と、就業体験受け入れ先の端末Ｕ２と、物件管理者の端末Ｕ３を備える。各端末Ｕ１〜Ｕ３はインターネットを通じて就業支援サーバＡと接続され、情報を送受信可能に構成されている。
【００６１】
なお、図１において、就業体験希望者の端末Ｕ１はスマートフォンまたはタブレット端末として表しているが、端末はこれに限定されるものではなく、ノート型パソコンやデスクトップ型パソコン等であってもよい。また、端末は、自身が所有するもののみならず、例えば、就業支援システムＹの運用者の所有するパソコンのように他人の所有する端末であってもよい。
【００６２】
（就業支援サーバＡ）
就業支援サーバＡは、ウェブサーバＷと、第１データベースＤ１と、第２データベースＤ２と、第３データベースＤ３と、第４データベースＤ４と、第５データベースＤ５と、第６データベースＤ６と、第７データベースＤ７とを有している。
【００６３】
ウェブサーバＷには、本発明を適用した就業支援プログラムがインストールされている。また、ウェブサーバＷは、インターネットに接続されて通信可能とするゲートウェイ機能と、アプリケーションサーバ機能を有している。
【００６４】
就業支援プログラムがインストールされることにより、ウェブサーバＷは、個人情報記録部Ａ１と、就業体験受け入れ先情報記録部Ａ２と、就業体験受け入れ先情報送信部Ａ３と、就業体験予約申し込み受信部Ａ４と、就業体験受け入れ可否情報送信部Ａ５と、物件情報記録部Ａ６と、物件情報送信部Ａ７と、物件予約申し込み受信部Ａ８と、入居受け入れ可否情報送信部Ａ９を有するものとなる（図５参照）。
【００６５】
個人情報記録部Ａ１は、就業体験希望者Ｐ１の個人情報を記録するものである。就業体験受け入れ先情報記録部Ａ２は、就業体験受け入れ先の採用条件と、所在地を含む就業体験受け入れ先の情報とを記録するものである。就業体験受け入れ先情報送信部Ａ３は、就業体験希望者Ｐ１の使用する端末Ｕ１からのアクセスに応じて、記録された就業体験受け入れ先の情報を送信するものである。
【００６６】
就業体験予約申し込み受信部Ａ４は、就業体験希望先の予約申し込みをするための情報を受信するものである。就業体験受け入れ可否情報送信部Ａ５は、記録された個人情報と記録された就業体験希望先の採用条件が合致するか否かを照合して判定し、受け入れ可否の判定結果の情報を就業体験希望者Ｐ１の使用する端末Ｕ１に送信する。
【００６７】
物件情報記録部Ａ６は、記録された就業体験受け入れ先の所在地に存在する物件の情報と、物件の入居条件の情報とを記録するものである。物件情報送信部Ａ７は、就業体験希望者Ｐ１の使用する端末Ｕ１からのアクセスに応じて、物件の情報を送信するものである。
【００６８】
物件予約申し込み受信部Ａ８は、物件の予約申し込みをするための情報を受信するものである。入居受け入れ可否情報送信部Ａ９は、記録された個人情報と記録された物件の入居条件が合致するか否かを照合して判定し、入居可否の判定結果の情報を就業体験希望者の使用する端末に送信するものである。
【００６９】
第１データベースＤ１には、就業体験希望者Ｐ１の端末Ｕ１から送信される個人情報が登録される。なお、個人情報の種類としては、氏名、住所、年齢、連絡先電話番号、職歴等が挙げられる。
【００７０】
本実施の形態では、就業体験希望者Ｐ１の個人情報の入力手続は自身で行っているが、入力手続はこれに限定されるものではない。例えば、高齢者等のパソコンの取り扱いが苦手な者のために、就業支援システムＹの運用者の代理店等において、その従業者が、同代理店に備えられた端末を利用して代理で手続を行う態様であってもよい。
【００７１】
第２データベースＤ２には、採用条件を含む就業体験受け入れ先の情報が登録される。なお、これらの情報は、就業体験受け入れ先が就業支援サーバＡにアクセスして直接入力してもよいし、就業体験受け入れ先から提示された情報に基づいて、就業支援システムＹの運用者側で入力してもよい。
【００７２】
就業体験受け入れ先の情報の種類としては、勤務地、職種、仕事内容、給与、労働時間、勤務形態、または福利厚生の内容等が挙げられる。また、採用条件とは就業体験受け入れ先の採用条件であり、性別、年齢、経験あるいは入社希望日、最低限勤務して欲しい時間、勤務時間帯あるいは期間等が挙げられる。
【００７３】
第３データベースＤ３には、物件の情報と、同物件の入居条件の情報が登録される。なお、これらの情報は、物件の管理者が就業支援サーバＡにアクセスして直接入力してもよいし、物件の管理者から提示された情報に基づいて、就業支援システムＹの運用者側で入力してもよい。
【００７４】
物件の情報の種類としては、物件の所在する住所、物件タイプ、間取り、設備、家賃、最寄りの交通機関とそこまでの所要時間、周辺の主な施設、駐車場の有無、買い物できる場所の有無等が挙げられる。また、物件の入居条件の情報とは貸し手の方が定める条件であり、単身者限定、女性限定、子供不可、外国人不可、ペット不可、契約期間、入居時期等が挙げられる。
【００７５】
更に、第３データベースＤ３には、物件の空室期間の情報と、物件の築年数の情報が登録される。
【００７６】
本実施の形態において、第３データベースＤ３には、物件の空室期間の情報と、物件の築年数の情報が登録されるが、これに限定するものではない。しかし、物件の空室期間の情報と、物件の築年数の情報が登録されることにより、就業体験希望者Ｐ１の端末Ｕ１へ送信される物件の情報を、例えば、空き期間の長い物件から優先的に表示し、または、築年数の新しい物件から優先的に表示するように構成することができるので、より好ましい。
【００７７】
第４データベースＤ４には、プログラムがウェブサーバＷで受信した就業体験先の希望条件情報と第１データベースＤ１に登録された個人情報とを紐付けて生成した、希望条件履歴情報が登録される。
【００７８】
就業体験先の希望条件情報の種類としては、勤務地、職種、仕事内容、給与、労働時間、勤務形態、または福利厚生の内容等が挙げられる。
【００７９】
本実施の形態において、希望条件履歴情報が登録される第４データベースＤ４を有しているが、これに限定するものではない。しかし、希望条件履歴情報が登録される第４データベースＤ４を有することにより、例えば、就業体験希望者Ｐ１が最初に予約申込を行った就業受け入れ先と条件が合致せずに就業に至らなかった場合でも、プログラムが抽出した同一または近似する条件の就業受け入れ先の候補がある旨の情報を、就業体験希望者Ｐ１の端末Ｕ１に送信するように構成することができるので、より好ましい。
【００８０】
第５データベースＤ５には、プログラムがウェブサーバＷで受信した物件希望条件の情報と第１データベースＤ１に登録された個人情報とを紐付けて生成した、物件希望条件履歴情報が登録される。
【００８１】
物件希望条件の種類としては、物件の所在する住所、物件タイプ、間取り、設備、家賃、最寄りの交通機関とそこまでの所要時間、周辺の主な施設、駐車場の有無、買い物できる場所の有無等が挙げられる。
【００８２】
本実施の形態においては、物件希望条件履歴情報が登録される第５データベースＤ５を有しているが、これに限定するものではない。しかし、物件希望条件履歴情報が登録される第５データベースＤ５を有することにより、例えば、就業体験希望者Ｐ１が最初に予約申込を行った物件が、入居条件と条件が合致せずに入居に至らなかった場合でも、プログラムが抽出した同一または近似する条件の物件の候補がある旨の情報を、就業体験希望者Ｐ１の端末Ｕ１に送信するように構成することができるので、より好ましい。
【００８３】
第６データベースＤ６には、ウェブサーバＷで受信した広告主等の外部端末からの広告に関する情報が登録される。なお、これらの情報は、広告主や広告代理店が就業支援サーバＡにアクセスして直接入力してもよいし、広告主等から提示された情報に基づいて、就業支援システムＹの運用者側で入力してもよい。広告に関する情報の種類としては、画像データ情報や文字情報等が挙げられる。
【００８４】
本実施の形態においては、広告に関する情報が登録される第６データベースＤ６を有しているが、これに限定するものではない。しかし、広告に関する情報が登録される第６データベースＤ６を有することにより、例えば、後述する第１〜第１８ステップＳ１〜Ｓ１８のいずれかのステップで表示されるウェブページの一部の領域または全部の領域に第６データベースＤ６に登録された広告が表示されるようになり、就業支援プログラムの運用者は、これらの広告主から広告収入、成功報酬型広告収入を得ることもできるように構成することができるので、より好ましい。
【００８５】
第７データベースＤ７には、プログラムがウェブサーバＷで受信した就業体験希望者Ｐ１のカードに関する情報と第１データベースＤ１に登録された個人情報とを紐付けて生成した、カード登録情報が登録される。なお、ここでいう「カード」には、クレジットカードまたは電子マネーカード等が含まれる。
【００８６】
カード登録情報の種類としては、後述する第２ステップＳ２あるいは第１１ステップＳ１１において就業体験希望者Ｐ１の端末Ｕ１から送信されて受信したクレジットカードの番号、カード会社名、名義人、カードの有効期限等が挙げられ、また、既に就業体験希望者Ｐ１が就業支援システムＹを介して就業体験を経験済みであり、その際に行われた就業体験時における決済履歴等が挙げられる。
【００８７】
本実施の形態においては、カード登録情報が登録される第７データベースＤ７を有しているが、これに限定するものではない。しかし、カード登録情報が登録される第７データベースＤ７を有することにより、例えば、カード決済が可能となることで、利用者である就業体験希望者Ｐ１側プログラム運営者側のいずれにとっても利便性が向上し、加えて、プログラム運営者側からすれば、カードを作る際に身分証明書を提示しているため身分証明書代わりになり、更にカード情報と第１データベースＤ１に登録された個人情報を照合することで、他人のなりすまし等でないかを確認することもできるように構成することができるので、より好ましい。
【００８８】
（端末Ｕ１）
端末Ｕ１は、就業体験希望者Ｐ１が使用するものであり、ここでは、いわゆるスマートフォンやタブレット端末である。端末Ｕ１は、通信部１０１と、ウェブブラウザ部１０２と、個人情報送信部１０３と、就業体験受け入れ先情報受信部１０４と、就業体験予約申し込み送信部１０５と、就業体験受け入れ可否情報受信部１０６と、物件情報受信部１０７と、物件予約申し込み送信部１０８と、入居受け入れ可否情報受信部１０９を有する（図５参照）。
【００８９】
通信部１０１は、就業支援サーバＹへインターネットを介して情報の送受信を可能にするものである。ウェブブラウザ部１０２は、受信した情報を表示するものである。個人情報送信部１０３は、就業体験希望者Ｐ１の個人情報を就業支援サーバＹの個人情報記録部Ａ１に送信するものである。
【００９０】
就業体験受け入れ先情報受信部１０４は、就業支援サーバＹの就業体験受け入れ先情報送信部Ａ３から送信された就業体験受け入れ先の情報を受信するものである。就業体験予約申し込み送信部１０５は、就業体験希望先に予約申し込みをするための情報を就業支援サーバＹの就業体験予約申し込み受信部Ａ４に送信するものである。就業体験受け入れ可否情報受信部１０６は、就業支援サーバＹの就業体験受け入れ可否情報送信部Ａ５から送信された就業体験希望先の受け入れ可否の判定結果の情報を受信するものである。
【００９１】
物件情報受信部１０７は、物件情報送信部Ａ７から送信された就業支援サーバＹに登録された物件の情報を受信するものである。物件予約申し込み送信部１０８は、物件の予約申し込みをするための情報を就業支援サーバＹの物件予約申し込み受信部Ａ８に送信するものである。入居受け入れ可否情報受信部１０９は、就業支援サーバＹの入居受け入れ可否情報送信部Ａ９から送信された物件への入居可否の判定結果の情報を受信するものである。
【００９２】
（端末Ｕ２）
端末Ｕ２は、就業体験受け入れ先が使用するものであり、ここでは、いわゆるパソコンである。なお、端末Ｕ２については、タブレット端末等であることを除外するものではない。
【００９３】
（端末Ｕ３）
端末Ｕ３は、物件管理者Ｐ２が使用するものであり、ここでは、いわゆるパソコンである。なお、端末Ｕ２については、タブレット端末等であることを除外するものではない。
【００９４】
〔就業支援システムＹを使用した就業支援方法〕
図２、図３および図４は、就業支援システムＹを使用した就業支援方法をステップ毎に示したものである。ステップは、第１ステップＳ１から第１８ステップＳ１８まであり、各ステップについて以下詳述する。また、図５は、就業体験希望者の端末と、就業体験受け入れ先の端末と、物件の管理者の端末と、就業支援サーバとの間の情報のやりとりを示すブロック図であり、各ステップ毎の情報の送受信方向を記載している。
【００９５】
（第１ステップＳ１）
図２に示す第１ステップＳ１は、就業支援システムＹの利用開始のステップである。具体的には、就業体験希望者Ｐ１が、就業体験希望者の端末Ｕ１を使用し、インターネット回線を介して就業支援サーバＡにアクセスするものである。
【００９６】
（第２ステップＳ２）
図２に示す第ステップＳでは、就業体験希望者Ｐ１の個人情報を、自身の端末Ｕ１に表示されるウェブブラウザのユーザインターフェースを介して、個人情報を入力する。入力された個人情報は、第１データベースＤ１に登録される。
【００９７】
（第３ステップＳ３）
図２に示す第３ステップＳ３では、個人情報の登録を終えた就業体験希望者Ｐ１が、自身の端末Ｕ１から第２データベースＤ２にアクセスし、就業体験受け入れ先の検索を行うステップである。
【００９８】
このとき、就業体験希望者Ｐ１は、自身の端末Ｕ１に表示されるウェブブラウザのユーザインターフェースを介して、就業体験受け入れ先に関する勤務地等の希望条件情報を送信する。希望条件情報を受信したプログラムが希望条件情報と第２データベースＤ２に登録された就業体験受け入れ先の情報を照合し、就業受け入れ先の候補情報を抽出して（即ち、希望条件から外れる就業受け入れ先の候補を除外して）同端末Ｕ１へ送信する。
【００９９】
端末Ｕ１に表示されるウェブブラウザには受信した就業受け入れ先の候補情報が表示される。これにより、就業体験希望者Ｐ１は希望条件から外れる就業受け入れ先の情報を参照する手間が省ける。
【０１００】
なお、このとき受信した希望条件情報は、プログラムにより第１データベースＤ１に登録された個人情報と紐付けて、希望条件履歴情報として第４データベースＤ４に登録される。そして、プログラムが、希望条件履歴情報と第２データベースＤ２に登録された就業体験受け入れ先の情報を照合し、就業受け入れ先の候補情報を抽出して就業体験希望者Ｐ１の端末Ｕ１に送信する。
【０１０１】
これにより、例えば、就業体験希望者が最初に予約申込を行った就業受け入れ先と条件が合致せずに就業に至らなかった場合でも、プログラムによって希望条件が近似等する新たな就業先情報が端末Ｕ１送信されるものとなる。
【０１０２】
就業体験希望者Ｐ１は、再度自ら検索しなくとも、新たな就業先情報を得ることができる。また、このとき届いた新たな就業先情報を検証することで、就業体験希望者Ｐ１自身が意識していなかった就業体験希望先の選択傾向を知る手掛かりとなり、自身の就業希望先を絞り込む際の選択材料となりうる。
【０１０３】
（第４ステップＳ４）
図２に示す第４ステップＳ４は、就業体験受け入れ先の参照を終えた就業体験希望者Ｐ１が、就業体験受け入れ先を決定し、自身の端末Ｕ１から就業体験希望先の予約申し込みをするための情報を送信するステップである。
【０１０４】
（第５ステップＳ５）
図２に示す第５ステップＳ５は、就業体験希望者Ｐ１の端末Ｕ１から受信した就業体験希望先の予約申し込みをするための情報に基づいて、その予約の可否を決定し、その結果を就業体験希望者Ｐ１の端末Ｕ１へ送信するステップである。
【０１０５】
具体的には、プログラムにより第１データベースＤ１に登録された個人情報と第２データベースＤ２に登録された就業体験希望先の採用条件が合致するか否かを照合して判定され、そして、受け入れ可否の判定結果の情報が就業体験希望者Ｐ１の端末Ｕ１に送信される。
【０１０６】
これにより、就業体験希望者Ｐ１は、自身の端末Ｕ１を介して就業体験希望先からの予約申し込みの受け入れ可否を知ることができる。また、プログラムによって受け入れ可否の判定がなされ、かつ、判定結果が送信されるので、就業体験希望者Ｐ１は速やかに就業体験の予約の可否を知ることができる。
【０１０７】
なお、就業体験希望者Ｐ１が、就業体験希望先からの予約申し込みの受け入れできない旨の判定結果を受信したときは、第３ステップＳ３に戻り、再度、就業体験受け入れ先の検索を行うこととなる。
【０１０８】
判定結果については、例えば、就業体験希望者Ｐ１の端末Ｕ１のウェブブラウザのユーザインターフェースを介して通知される態様であってもよいし、プログラムによって自動生成された可否いずれかの文面が、端末Ｕ１へＥメールにて通知される態様であってもよい。
【０１０９】
また、就業体験希望先の受け入れ可否の判断、および、その通知文面作成と通知が自動化されることによって、就業体験希望先の採用担当者等がその都度受け入れ判断やその通知を行う必要が無いため、省力化でき、また、就業体験希望者からの申し込みに対するレスポンス速度が向上する。
【０１１０】
本実施の形態では、就業体験希望先からの予約申し込みの受け入れ可否の判定について、プログラムより自動化されているが、受け入れ可否の判定は、これに限定されるものではない。例えば、プログラムが就業体験希望者Ｐ１からの予約申し込みがあった旨の情報を就業体験希望先へ送信し、就業体験受け入れ先がその予約の可否を判定し、就業体験受け入れ先から送信された判定結果がプログラムを介して就業体験希望者Ｐ１へ送信されるというような態様であってもよい。
【０１１１】
（第６ステップＳ６）
図２に示す第６ステップＳ６では、第５ステップＳ５で送信された就業体験希望先からの予約申し込みの受け入れ可の判定結果の通知を受信した後、就業体験申し込み手順が終了する。
【０１１２】
（第７ステップＳ７）
図３に示す第７ステップＳ７は、物件への入居申し込み手順を開始するステップである。第７ステップＳ７は、第６ステップＳ６終了後、引き続き実行してもよいし、第６ステップＳ６終了後、一旦手続を終了（ログアウト等）し、時間をおいて、再度就業支援サーバＡに接続して行ってもよい。
【０１１３】
（第８ステップＳ８）
図３に示す第８ステップＳ８では、就業体験希望者Ｐ１が、自身の端末Ｕ１から第３データベースＤ３にアクセスし、就業体験期間中に入居する物件の検索を行うステップである。
【０１１４】
このとき、就業体験希望者Ｐ１は、自身の端末Ｕ１に表示されるウェブブラウザのユーザインターフェースを介して、物件に関する家賃等の物件の希望条件情報を送信する。希望条件情報を受信したプログラムが希望条件情報と第３データベースＤ３に登録された物件の情報を照合し、物件の候補情報を抽出して（即ち、希望条件から外れる物件の候補を除外して）同端末Ｕ１へ送信する。
【０１１５】
端末Ｕ１に表示されるウェブブラウザには受信した物件の候補情報が表示される。これにより、就業体験希望者Ｐ１は希望条件から外れる物件の情報を参照する手間が省ける。
【０１１６】
なお、このとき受信した物件の希望条件情報は、プログラムにより第１データベースＤ１に登録された個人情報と紐付けて、物件希望条件履歴情報として第５データベースＤ５に登録される。そして、プログラムが、物件希望条件履歴情報と第３データベースＤ３に登録された物件の情報を照合し、物件の候補情報を抽出して就業体験希望者Ｐ１の端末Ｕ１に送信する。
【０１１７】
これにより、例えば、就業体験希望者が最初に予約申込を行った物件と条件が合致せずに入居に至らなかった場合でも、プログラムによって希望条件が近似等する新たな物件の情報が端末Ｕ１送信されるものとなる。
【０１１８】
就業体験希望者Ｐ１は、再度自ら検索しなくとも、新たな物件の情報を得ることができる。また、このとき届いた新たな物件の情報を検証することで、就業体験希望者Ｐ１自身が意識していなかった物件の選択傾向を知る手掛かりとなり、自身の希望する物件を絞り込む際の選択材料となりうる。
【０１１９】
（第９ステップＳ９）
図３に示す第９ステップＳ９は、入居候補の物件の参照を終えた就業体験希望者Ｐ１が、物件を決定し、自身の端末Ｕ１から入居希望先の物件の予約申し込みをするための情報を送信するステップである。
【０１２０】
（第１０ステップＳ１０）
図３に示す第１０ステップＳ１０は、就業体験希望者Ｐ１の端末Ｕ１から受信した物件の予約申し込みをするための情報に基づいて、その予約の可否を決定し、その結果を就業体験希望者Ｐ１の端末Ｕ１へ送信するステップである。具体的には、プログラムにより第１データベースＤ１に登録された個人情報と第３データベースＤ３に登録された物件の入居条件が合致するか否かを照合して判定され、そして、入居可否の判定結果の情報が就業体験希望者Ｐ１の端末Ｕ１に送信される。
【０１２１】
これにより、就業体験希望者Ｐ１は、自身の端末Ｕ１を介して物件の入居予約申し込みの可否を知ることができる。また、プログラムによって入居可否の判定がなされ、かつ、判定結果が送信されるので、就業体験希望者Ｐ１は速やかに物件の予約の可否を知ることができる。なお、就業体験希望者Ｐ１が、物件の予約申し込みができない旨の判定結果を受信したときは、第８ステップＳ８に戻り、再度、物件の検索を行うこととなる。
【０１２２】
判定結果については、就業体験予約申し込みと同様に、就業体験希望者Ｐ１の端末Ｕ１のウェブブラウザのユーザインターフェースを介して、あるいは、プログラムによって自動生成された文面が端末Ｕ１へＥメールで、可否いずれかの結果が通知される態様であってもよい。
【０１２３】
また、物件への入居可否の判断、および、その通知文面作成と通知が自動化されることによって、物件管理者等がその都度可否判断やその通知を行う必要が無いため、省力化でき、また、入居希望者（就業体験希望者Ｐ１）からの申し込みに対するレスポンス速度が向上する。
【０１２４】
また、就業体験希望先からの予約申し込みの場合と同様、受け入れ可否の判定がプログラムより自動化されているが、受け入れ可否の判定は、これに限定されるものではない。例えば、プログラムが就業体験希望者Ｐ１からの予約申し込みがあった旨の情報を物件管理者へ送信し、物件管理者がその予約の可否を判定し、物件管理者から送信された判定結果がプログラムを介して就業体験希望者Ｐ１へ送信されるという態様であってもよい。
【０１２５】
（第１１ステップＳ１１）
図３に示す第１１ステップＳ１１は、物件への入居可（予約申し込みの受け入れ可）の判定結果の通知を受信した就業体験希望者Ｐ１から物件管理者Ｐ２へ支払われる入居手数料を代行徴収するためのカード決済手続を行うステップである。カード決済手続は、第７データベースＤ７に登録されたカード登録情報を利用して行われる。
【０１２６】
カード決済の対象としては、
（１）就業体験希望者Ｐ１と就業体験受け入れ先との間で、予約申し込みが成立したか、または、正式な就業が成就したときに、就業体験希望者Ｐ１または就業体験受け入れ先のいずれか一方または両方から、プログラム運用者に支払われる仲介手数料、
（２）就業体験希望者Ｐ１と物件管理者Ｐ２との間で、予約申し込みが成立したか、または、正式な入居契約が成就したときに、就業体験希望者Ｐ１または物件管理者Ｐ２のいずれか一方または両方から、プログラム運用者に支払われる仲介手数料、
（３）就業体験希望者Ｐ１と物件管理者Ｐ２との間で、予約申し込みが成立したか、または、正式な入居契約が成就したときに、就業体験希望者Ｐ１から物件管理者Ｐ２へ支払われる手数料（代行徴収）、
等が挙げられるが、これに限定するものではなく、例えば、就業体験期間中に入居する物件で使用する家具や寝具のレンタル料金等であってもよい。
【０１２７】
（第１２ステップＳ１２）
図３に示す第１２ステップＳ１２では、カード決済終了の通知を受信することで、物件の予約手順が終了する。ログアウトにより、就業体験申し込みの全ての手順が終了する。
【０１２８】
図４は、図２および図３におけるプログラムによる予約の可否判定がなされる手順を示すフローチャートである。
（第１３ステップＳ１３）
図４に示す第１３ステップＳ１３は、就業体験受け入れ先に行われた予約申し込みを受信するステップである。
【０１２９】
ここでは、図５に示すように、就業体験受け入れ先の端末Ｕ２に、予約申し込みがあった旨の情報を送信してもよい。これにより、就業体験受け入れ先は、判定の結果を問わず、何件ぐらい応募があったかを知ることができる。
【０１３０】
また、このとき、プログラムが送信する情報と併せて、就業体験の予約申し込みを行った者の個人情報の一部（例えば名前や住所は伏せる）または全部を送信してもよい。これにより、就業体験の予約申し込みを行った者の傾向が把握でき、例えば、就業体験希望者が更に増えるように、採用条件等に反映させることもできる。
【０１３１】
（第１４ステップＳ１４）
図４に示す第１４ステップＳ１４は、就業体験受け入れ先に行われた予約申し込みの可否判定をプログラムが行うステップである。就業体験希望者Ｐ１の端末Ｕ１から就業体験希望先の予約申し込みをするための情報を受信すると、プログラムが第１データベースＤ１に登録された個人情報と第２データベースＤ２に登録された就業体験希望先の採用条件が合致するか否かを照合および判定する。
【０１３２】
なお、本実施の形態では、上記判定は、第１データベースＤ１および第２データベースＤ２に登録された情報に基づいて行われるが、これに限定するものではない。例えば、他のデータベースに登録されたブラックリスト情報（例えば、前回利用時に、設備を破損したにも関わらず、申告することなく退去した者や、就業体験期間中に無申告で離職および物件から退去した者などの情報）についても照合し、判定してもよい。
【０１３３】
（第１５ステップＳ１５）
図４に示す第１５ステップＳ１５は、第１４ステップＳ１４でなされた判定結果の情報を就業体験希望者Ｐ１の端末Ｕ１に送信するステップである。ここでは、図５に示すように、就業体験受け入れ先の端末Ｕ２に、判定の可否の情報を送信してもよい。これにより、就業体験受け入れ先は、新たに就業体験希望者Ｐ１が採用されたことを知ることができる。
【０１３４】
また、このとき、プログラムが送信する情報と併せて、就業体験の予約申し込みを行った者の個人情報の一部または全部を送信してもよい。これにより、採用された就業体験希望者の傾向が把握でき、例えば、就業体験希望者が自社の求める人材像に近づくように採用条件等に反映させることもできる。
【０１３５】
（第１６ステップＳ１６）
図４に示す第１６ステップＳ１６は、物件に行われた予約申し込みを受信するステップである。ここでは、図５に示すように、物件管理者Ｐ２の端末Ｕ３に、予約申し込みがあった旨の情報を送信してもよい。
【０１３６】
これにより、物件管理者Ｐ２は、判定の結果を問わず、何件ぐらい応募があったかを知ることができる。また、このとき、プログラムが送信する情報と併せて、物件の予約申し込みを行った者の個人情報の一部または全部を送信してもよい。これにより、物件の予約申し込みを行った者の傾向が把握でき、例えば、物件の入居希望者が更に増えるように、入居条件等に反映させることもできる。
【０１３７】
（第１７ステップＳ１７）
図４に示す第１７ステップＳ１７は、物件に行われた予約申し込みの可否判定をプログラムが行うステップである。就業体験希望者Ｐ１の端末Ｕ１から物件の予約申し込みをするための情報を受信すると、プログラムが第１データベースＤ１に登録された個人情報と第３データベースＤ３に登録された物件の入居条件が合致するか否かを照合および判定する。
【０１３８】
なお、本実施の形態では、上記判定は、第１データベースＤ１および第３データベースＤ３に登録された情報に基づいて行われるが、これに限定するものではなく、例えば、第１４ステップＳ１４と同様に、他のデータベースに登録されたブラックリスト情報についても照合し、判定してもよい。
【０１３９】
（第１８ステップＳ１８）
図４に示す第１８ステップＳ１８は、第１７ステップＳ１７でなされた判定結果の情報を就業体験希望者Ｐ１の端末Ｕ１に送信するステップである。ここでは、図５に示すように、物件管理者の端末Ｕ３に、判定の可否の情報を送信してもよい。これにより、物件管理者Ｐ２は、新たに就業体験希望者Ｐ１が入居することを知ることができる。
【０１４０】
また、このとき、プログラムが送信する情報と併せて、物件の予約申し込みを行った者の個人情報の一部または全部を送信してもよい。これにより、入居希望者の傾向が把握でき、例えば、入居者が自社の物件のイメージ像（例えば、若者が多い、単身者向け等）に近づくように入居条件等に反映させることもできる。
【０１４１】
本実施の形態では、就業支援方法は、希望する職種の会社等に就業者が短期間試しに職業体験する態様（第１〜第１８ステップＳ１〜Ｓ１８）で行われているが、これに限定するものではない。例えば、退職して自営業を開始しようとする者、あるいは既に自営業を行っており店舗移転を検討している者が、短期間試しに物件（この場合の物件は店舗用物件ということになる）を借りるような態様であってもよい。この場合、就業体験希望者（自営業者）は、先述した第１ステップＳ１、第２ステップＳ２の後、第７ステップＳ７から手順をスタートできるようにしてもよい。
【０１４２】
また、本就業支援方法は、就業先の決定後、入居先物件を選択する手順を採用しているが、これに限定するものではない。例えば、入居先物件の決定後に就業先を選択する方法であってもよいし、入居先物件と就業先の選択を並行して行う方法であってもよい。更に、本就業支援方法は、転職ではなく、新卒の就職活動に利用することを除外するものではない。
【０１４３】
これにより、客の入りはどうか、業態が地元住民の嗜好にマッチするか、周辺環境はどうか等を確認して、正式に契約ができるので、就業希望者（自営業者）が、前もって、客の入りはどうか、業態が地元住民の嗜好にマッチするか、周辺環境はどうか等について体験できると共に、就業（開業）後に環境等が想像とは異なっていたというようなミスマッチングを減らすことができる。
【０１４４】
図６は、就業体験希望者との間で行われる物件の鍵を受け渡し態様の一例を示す概略図であり、（ａ）は物件の鍵の受け取りを、（ｂ）は物件の鍵の返却を、それぞれ示している。
【０１４５】
図６（ａ）に示すように、就業支援システムの受付（就業体験受け入れ先および物件の予約済み）が完了した就業体験希望者Ｐ１は、鍵受け渡し窓口Ｄで物件管理者Ｐ２から、入居する物件の鍵を受け取る。このとき、就業支援サーバＡから物件管理者Ｐ２の端末Ｕ３へ、就業体験希望者Ｐ１の個人情報およびその入居物件の情報が送信され、これらの情報をもとに、物件管理者Ｐ２は、就業体験希望者Ｐ１の本人確認および対象となる部屋の鍵の貸与を行う。
【０１４６】
就業体験希望者Ｐ１の本人確認および対象となる部屋の鍵の貸与が完了した後、物件管理者Ｐ２は、その端末Ｕ３を介して、就業支援サーバＡへ手続が完了した旨の情報を送信する。手続が完了した旨の情報を受信した就業支援サーバＡは、そのプログラムにより、例えば、当該物件についてウェブページ上に表示された物件情報を一時的に消去し、あるいは「入居中（〜○月○日まで）」等に変更して募集を中止する。
【０１４７】
また、図６（ｂ）に示すように、就業期間が終了した就業体験希望者Ｐ１は、鍵受け渡し窓口Ｄで物件管理者Ｐ２へ、入居していた物件の鍵を返却する。このとき、物件管理者Ｐ２は、その端末Ｕ３から就業支援サーバＡへ就業体験希望者Ｐ１が退去した旨の情報が送信する。退去が完了した旨の情報を受信した就業支援サーバＡは、そのプログラムにより、例えば、当該物件についてウェブページ上に表示された物件情報を再度表示させるか、あるいは「入居者募集中」等に変更して募集を再開する。
【０１４８】
本実施形態において、鍵受け渡し窓口Ｄは、物件管理者Ｐ２が直接担当しているが、これに限定するものではなく、例えば、プログラム運用者の会社または店舗、プログラム運用者と契約した地域代理店等であってもよい。
【０１４９】
このように、就業体験希望者Ｐ１は、就業支援システムＹを利用し、就業体験希望者Ｐ１は自身の端末Ｕ１に表示されるウェブブラウザのユーザインターフェース（ウェブページ）を介して情報の送受信を行うのであるが、第１〜第１８ステップＳ１〜Ｓ１８のいずれかのステップで表示されるウェブページの一部の領域または全部の領域には、第６データベースＤ６に登録された広告が表示されるようになる。
【０１５０】
また、ウェブページにおいて広告が表示された領域に対してクリック操作あるいはタッチ操作がなされると、就業体験希望者Ｐ１の端末Ｕ１のウェブブラウザの表示画面を、広告を提供している広告主の指定するウェブサイトへリンクするようにしてある。これらの広告は他者の広告であり、就業支援プログラムの運用者は、これらの広告主から広告収入、成功報酬型広告収入を得ることもできる。
【０１５１】
また、就業支援システムＹにおいては、就業体験希望者Ｐ１の端末Ｕ１へ送信される物件の情報を、例えば、空き期間の長い物件から優先的に表示してもよい。この場合、空室期間の短縮化が期待でき、顧客（この場合、物件の管理者）利益が向上する。更に、築年数の新しい物件から優先的に表示することで、物件に投資した資金回収期間の短縮化が期待でき、顧客（この場合、物件の管理者）利益が向上する。更にまた、築年数が新しく、かつ、空き期間の長い物件が優先的に表示されるようにしてもよく、この場合、物件に投資した資金回収期間の短縮化と空室期間の短縮化の双方が期待でき、顧客利益が向上する。
【０１５２】
就業支援システムＹは、第１１ステップＳ１１あるいは爾後に行われる他のステップにおいて、就業支援システムＹを介して各種ライフライン（電気、ガス、水道等）の短期契約ができるようにしてもよい。
【０１５３】
就業支援システムＹには、例えば、就業体験希望者Ｐ１が最初に予約申込を行った就業受け入れ先と条件が合致せずに就業に至らなかった場合でも、プログラムが抽出した同一または近似する条件の就業受け入れ先の候補がある旨の情報を、就業体験希望者Ｐ１の端末Ｕ１に送信するように構成してもよい。この場合、就業体験希望者Ｐ１は、再度自ら検索しなくとも、希望条件が近似等する新たな就業先情報を得ることができる。
【０１５４】
また、就業支援システムＹには、例えば、就業体験希望者Ｐ１が最初に予約申込を行った物件が、入居条件と条件が合致せずに入居に至らなかった場合でも、プログラムが抽出した同一または近似する条件の物件の候補がある旨の情報を、就業体験希望者Ｐ１の端末Ｕ１に送信するように構成してもよい。この場合、就業体験希望者Ｐ１は、再度自ら検索しなくとも、希望条件が近似等する新たな物件の情報を得ることができるように構成してもよい。この場合、希望条件が近似等する新たな物件の情報は、先述の希望条件が近似等する新たな就業先情報と共に送信することが、就業体験希望者の利便性向上の観点からより好ましい。
【０１５５】
本明細書および本特許請求の範囲に記載する用語「物件」には、居住用賃貸物件のみならず、店舗物件や売買用物件も含まれる。売買用物件の場合、売れるまで長く物件を寝かせておくよりも、現状のまま短期で貸すようにした方が収益を得られるという利点がある。また、売買用物件の場合、就業支援システムへの登録と重複して不動産会社に仲介を頼むこともあるので、物件の現状把握の観点から、プログラムにより作成されたが決定した旨の情報、入居または退去が行われた旨の情報が物件管理者Ｐ２等にも送信されることが好ましい。
【０１５６】
このように、本実施形態の就業支援システムＹおよびこれに使用する就業支援プログラムによれば、就業体験希望者Ｐ１が、自身の端末Ｕ１を介して就業体験希望先の検索および就業体験の予約をできると共に、就業体験先の決定後、就業体験先が存在する地域における就業体験期間中に滞在する物件の検索および予約も行うこと（ワンストップ・サービス）ができる。つまり、一つのウェブサイト上で、就業体験先とその間に滞在する物件の手配ができるので利便性が良く、かつ、就業活動とこれに伴う住居の問題が解決できる。
【０１５７】
なお、本発明に係る就業支援システムは、これまでに無かった業態であり、現行法や条例等の下では、本就業支援システムを無認可および無資格で実施すると、規制または法律に抵触する可能性があるが、必要な許認可の取得あるいは有資格者の雇用等を行えば規制等は回避可能である。また、将来の規制緩和等により認可等が不要になれば、規制を受けることなく実施可能になりうることを付言する。
【０１５８】
また、本発明に係る就業支援システムが稼働した際には、従来の転職先のミスマッチ等の就業者の不安点や住居問題が解決されるので、例えば、老親の面倒を見るために、あるいは都会生活に疲れて等の理由から行われるＵターン就職やＪターン就職、新天地を求めて行うＩターン就職が促進され、シャッター商店街や空き物件の活用化も可能になり、特に地域活性化の起爆剤となるものと確信する。
【０１５９】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。また、第１、第２などの言葉は、等級や重要度を意味するものではなく、一つの要素を他の要素から区別するために使用したものである。
【符号の説明】
【０１６０】
Ｙ    就業支援システム
Ａ    就業支援サーバ
Ａ１    個人情報記録部
Ａ２    就業体験受け入れ先情報記録部
Ａ３    就業体験受け入れ先情報送信部
Ａ４    就業体験予約申し込み受信部
Ａ５    就業体験受け入れ可否情報送信部
Ａ６    物件情報記録部
Ａ７    物件情報送信部
Ａ８    物件予約申し込み受信部
Ａ９    入居受け入れ可否情報送信部
Ｗ    ウェブサーバ
Ｄ    鍵受け渡し窓口
Ｐ１    就業体験希望者
１０１    通信部
１０２    ウェブブラウザ部
１０３    個人情報送信部
１０４    就業体験受け入れ先情報受信部
１０５    就業体験予約申し込み送信部
１０６    就業体験受け入れ可否情報受信部
１０７    物件情報受信部
１０８    物件予約申し込み送信部
１０９    入居受け入れ可否情報受信部
Ｐ２    物件管理者
Ｕ１    就業体験希望者の端末
Ｕ２    就業体験受け入れ先の端末
Ｕ３    物件管理者の端末
Ｄ１    第１データベース
Ｄ２    第２データベース
Ｄ３    第３データベース
Ｄ４    第４データベース
Ｄ５    第５データベース
Ｄ６    第６データベース
Ｄ７    第７データベース
Ｓ１    第１ステップ
Ｓ２    第２ステップ
Ｓ３    第３ステップ
Ｓ４    第４ステップ
Ｓ５    第５ステップ
Ｓ６    第６ステップ
Ｓ７    第７ステップ
Ｓ８    第８ステップ
Ｓ９    第９ステップ
Ｓ１０    第１０ステップ
Ｓ１１    第１１ステップ
Ｓ１２    第１２ステップ
Ｓ１３    第１３ステップ
Ｓ１４    第１４ステップ
Ｓ１５    第１５ステップ
Ｓ１６    第１６ステップ
Ｓ１７    第１７ステップ
Ｓ１８    第１８ステップ
９    就業支援システム
９０    就業支援センタ
９０１〜９０３    受付端末
９０４    窓口サーバ
９０５    ルータ
９０６    記憶装置
９１    ユーザ端末
９２    事業所
９２１    事業者端末
９３    インターネット
【図１】
2017037366.tif 000003
【図２】
2017037366.tif 000004
【図３】
2017037366.tif 000005
【図４】
2017037366.tif 000006
【図５】
2017037366.tif 000007
【図６】
2017037366.tif 000008
【図７】
2017037366.tif 000009